(57)【要約】【課題】用紙の端部に印刷されたページマーク，部マーク，表裏マークを利用者がチェックするだけで、束（部）の仕分け、ページ順、紙の表裏方向の統一性等を容易にチェックし、整えることを容易にすることと、ふちなし印刷する際には、ふちなし印刷画像の仕上がりの美しさと、整列の容易性を同時に実現すること。【解決手段】プリンタドライバ部１０１が、印刷装置１１０に出力されるべき印刷情報に対してページマークをページ毎に位置がシフトするように付加し、部マークを所定の印刷単位（１まとまりの部，印刷ジョブ）毎に位置がシフトするように付加し、また両面印刷する際、表裏マークを印刷用紙の表裏で異なる位置となるように付加し、さらにふちなし印刷する際、前記ページマーク，部マークを印刷用紙の裏面に印刷されるように付加する構成を特徴とする。【選択図】      図１
2004202852.tif 000002
【特許請求の範囲】
【請求項１】
印刷情報に基づく画像を印刷用紙上に印刷する印刷手段に印刷情報を出力する画像出力装置において、
前記印刷手段に出力されるべき印刷情報に対して第１のマークをページ毎に位置がシフトするように付加する第１の付加手段と、
前記印刷手段に出力されるべき印刷情報に対して第２のマークを所定の印刷単位毎に位置がシフトするように付加する第２の付加手段と、
前期印刷用紙の両面に印刷する際、前記印刷手段に出力されるべき印刷情報に対して第３のマークを前記印刷用紙の表裏で異なる位置となるように付加する第３の付加手段と、
を有することを特徴とする画像出力装置。
【請求項２】
前記第１の付加手段，第２の付加手段は、前記印刷情報に基づく画像を印刷用紙の全面に印刷する際、前記印刷用紙の裏面に印刷されるように前記第１のマーク，第２のマークを付加することを特徴とする請求項１記載の画像出力装置。
【請求項３】
印刷情報に基づく画像を印刷用紙上に印刷する印刷手段に印刷情報を出力する画像出力方法において、
前記印刷手段に出力されるべき印刷情報に対して第１のマークをページ毎に位置がシフトするように付加する第１の付加工程と、
前記印刷手段に出力されるべき印刷情報に対して第２のマークを所定の印刷単位毎に位置がシフトするように付加する第２の付加工程と、
印刷用紙の両面に印刷する際、前記印刷手段に出力されるべき印刷情報に対して第３のマークを前記印刷用紙の表裏で異なる位置となるように付加する第３の付加工程と、
を有することを特徴とする画像出力方法。
【請求項４】
前記第１の付加工程，第２の付加工程は、前記印刷情報に基づく画像を印刷用紙の全面に印刷する際、前記印刷用紙の裏面に印刷されるように前記第１のマーク，第２のマークを付加することを特徴とする請求項３記載の画像出力方法。
【請求項５】
請求項３又は４に記載された画像出力方法を実行するためのプログラム。
【請求項６】
請求項３又は４に記載された画像出力方法を実行するためのプログラムをコンピュータが読み取り可能に記録した記録媒体。
【発明の詳細な説明】
【０００１】
【発明の属する技術分野】
本発明は、印刷情報に基づく画像を印刷用紙上に印刷する印刷手段に印刷情報を出力する画像出力装置および画像出力方法およびプログラムおよび記録媒体に関するものである。
【０００２】
【従来の技術】
従来、一つのコンピュータから印刷装置（プリンタ）に連続して出力した場合や、複数の人数でネットワークプリンタを使用する場合、それぞれの出力の文書がトレー上に積み重なり、各文書の区切りが判別しにくかった。
【０００３】
このような場合、従来では、区切り紙，バナー等の区切りを示す用紙を出力したり、或いは出力毎に印刷の向きや出力用紙の向きを回転させながら出力することを行っていた。
【０００４】
【発明が解決しようとする課題】
しかしながら、上記従来の区切り紙等を挿入する方法では、区切り紙等が無駄になってしまうという問題点があった。
【０００５】
さらに、出力した複数枚のまとまった１部において、用紙の向きや順番、表裏がばらばらに乱れてしまった場合等、それを直すためには、ユーザがページ番号やその印刷内容を見ながら手作業で並べ替えるしかないという問題点があった。
【０００６】
なお、この問題を解決する方法として、特開平１１-６５３６３号公報に記載された方法が提案されている。特開平１１-６５３６３号公報に記載された従来の方法では、通常の用紙であれば、ページの同じ場所にページマークを付加し、ＯＨＰシートであればマークが互いに重なり合わないように付加することにより、容易にページの欠落を発見可能にするものである。
【０００７】
しかしながら、単に、一束の紙束のページ順序が乱れただけであれば、上記従来の方法で容易にページの欠落や順序の誤りを発見可能であるが、複数束の印刷物が混在してしまった場合、各部毎に同一のページ等が存在するため、上記従来の方法では、ある紙束に他の部が混じっていないか等のチェックを行うだけでも、ユーザがその印刷内容を判断しながら一つ一つ手作業で行う必要があり、非常に煩雑な作業になってしまい、誤り等が発生してしまう恐れがあるという問題点があった。
【０００８】
本発明は、上記の問題点を解決するためになされたもので、本発明の目的は、印刷情報に基づく画像を印刷用紙上に印刷する印刷手段に出力されるべき印刷情報に対して第１のマークをページ毎に位置がシフトするように付加し、前記印刷手段に出力されるべき印刷情報に対して第２のマークを所定の印刷単位（１まとまりの部，ジョブ）毎に位置がシフトするように付加し、印刷用紙の両面に印刷する際、前記印刷手段に出力されるべき印刷情報に対して第３のマークを前記印刷用紙の表裏で異なる位置となるように付加することにより、紙束の表裏面向きの乱れ、束の順序の乱れや抜け、ある部（ジョブ）に他の部（ジョブ）の印刷用紙が含まれている等のことを容易に認識でき、手作業でこれらを直しやすくなり、複数束の印刷物が混在してしまった場合であっても、第１〜３のマークを利用者がチェックするだけで、束（部）の仕分け、ページ順、紙の表裏方向の統一性等を容易にチェックし、変更することができること、また前記印刷情報に基づく画像を印刷用紙の全面に印刷する際、前記印刷用紙の裏面に印刷されるように前記第１のマーク画像，第２のマーク画像を付加することにより、画像を印刷用紙の全面に印刷する際、表面の画像に重なることなく、第１，２のマーク画像を付加して、ふちなし印刷画像の仕上がりの美しさと、整列の容易性を同時に実現する画像形成環境を提供することができる画像出力装置および画像出力方法およびプログラムおよび記録媒体を提供することである。
【０００９】
【課題を解決するための手段】
本発明に係る第１の発明は、印刷情報に基づく画像を印刷用紙上に印刷する印刷手段（図１に示す印刷装置１１０）に印刷情報を出力する画像出力装置において、前記印刷手段に出力されるべき印刷情報に対して第１のマークをページ毎に位置がシフトするように付加する第１の付加手段（図１に示すマーク位置計算部１０３，マーク画像合成部１０４）と、前記印刷手段に出力されるべき印刷情報に対して第２のマークを所定の印刷単位毎に位置がシフトするように付加する第２の付加手段（図１に示すマーク位置計算部１０３，マーク画像合成部１０４）と、印刷用紙の両面に印刷する際、前記印刷手段に出力されるべき印刷情報に対して第３のマークを前記印刷用紙の表裏で異なる位置となるように付加する第３の付加手段（図１に示すマーク位置計算部１０３，マーク画像合成部１０４）とを有することを特徴とする。
【００１０】
本発明に係る第２の発明は、前記第１の付加手段，第２の付加手段は、前記印刷情報に基づく画像を印刷用紙の全面に印刷する際（ふちなし印刷を行う際）、前記印刷用紙の裏面に印刷されるように前記第１のマーク，第２のマークを付加することを特徴とする。
【００１１】
本発明に係る第３の発明は、印刷情報に基づく画像を印刷用紙上に印刷する印刷手段に印刷情報を出力する画像出力方法において、前記印刷手段に出力されるべき印刷情報に対して第１のマークをページ毎に位置がシフトするように付加する第１の付加工程（図１６のステップＳ１０９，Ｓ１１０，Ｓ１１５，Ｓ１１６）と、前記印刷手段に出力されるべき印刷情報に対して第２のマークを所定の印刷単位毎に位置がシフトするように付加する第２の付加工程（図１６のステップＳ１０２，Ｓ１０８，Ｓ１１４）と、印刷用紙の両面に印刷する際、前記印刷手段に出力されるべき印刷情報に対して第３のマークを前記印刷用紙の表裏で異なる位置となるように付加する第３の付加工程（図１６のステップＳ１０３，Ｓ１０７，Ｓ１１３）とを有することを特徴とする。
【００１２】
本発明に係る第４の発明は、前記第１の付加工程，第２の付加工程は、前記印刷情報に基づく画像を印刷用紙の全面に印刷する際、前記印刷用紙の裏面に印刷されるように前記第１のマーク，第２のマークを付加する（図１６のステップＳ１１４，Ｓ１１５，Ｓ１１６）ことを特徴とする。
【００１３】
本発明に係る第５の発明は、請求項３又は４に記載された画像出力方法を実行するためのプログラムであることを特徴とする。
【００１４】
本発明に係る第６の発明は、請求項３又は４に記載された画像出力方法を実行するためのプログラムを記録媒体にコンピュータが読み取り可能に記録させたことを特徴とする。
【００１５】
【発明の実施の形態】
図１は、本発明に係る印刷出力装置の一実施形態を示すブロック図である。
【００１６】
図において、１００はパーソナルコンピュータ／ワークステーション（ＰＣ／ＷＳ）等のコンピュータで、ネットワーク１２０を介して印刷装置１１０に対して印刷データを送信することができる。
【００１７】
コンピュータ１００において、１０１はプリンタドライバ部で、アプリケーション１０２から出力されるデータに基づいて、印刷装置１１０で印刷可能な印刷情報を生成し、印刷装置１１０に出力する。
【００１８】
また、プリンタドライバ部１０１において、１０３はマーク位置計算部で、後述する図１０，図１１に示す各種マーク位置を算出する。１０４はマーク画像合成部で、後述する図４〜図１２に示す各種マーク画像をページ画像に合成処理する。１０５はマーク画像メモリで、図４〜図１２に示す各種マーク画像データを保持する。
【００１９】
図２は、図１に示したコンピュータ１００の構成を示すブロック図である。
【００２０】
図において、２０１はＣＰＵで、ＲＯＭ２０３のプログラム用ＲＯＭに記憶されたプログラムに基づいてシステムバス２０４に接続された各デバイスを制御し、コンピュータ１００全体を統括制御する。
【００２１】
また、このＲＯＭ２０３のフォント用ＲＯＭにはフォントデータ等を記憶し、ＲＯＭ２０３のデータ用ＲＯＭには各種データを記憶する。２０２はＲＡＭで、ＣＰＵ２０１の主メモリ，ワークエリア等として機能する。
【００２２】
２０５はキーボードコントローラ（ＫＢＣ）で、キーボード（ＫＢ）２０９や図示しないポインティングデバイス、例えばマウスからの入力を制御する。２０６はモニタコントローラ（ＭＣ）で、モニタ（Ｍｏｎｉｔｏｒ）２１０の表示を制御する。
【００２３】
２０７はハードディスクコントローラ（ＨＤＣ）で、ハードディスク（ＨＤ）２１１とのアクセスを制御する。２０８はネットワークインタフェース（ＮＷＩ／Ｆ）で、ネットワーク１２０との通信を制御する。
【００２４】
以上のような構成により、コンピュータ１００はネットワーク１２０を介して印刷装置１１０に印刷情報を送信して、印刷装置１１０でのプリントを実行することができる。
【００２５】
以下、図３〜図１２を参照して、本発明の印刷出力装置における各種マーク印刷について説明する。
【００２６】
図３は、本発明の印刷出力装置におけるマーク印刷領域の一例を示す模式図である。
【００２７】
図において、３０２はマーク印刷領域で、通常の印刷領域３０１の周りの領域に相当し、本発明の印刷出力装置では、このマーク印刷領域に対して、後述する各種マーク（ページマーク，部マーク，表示マーク等）が印刷されるように、印刷データを生成する。
【００２８】
図４は、本発明の印刷出力装置における片面印刷時のマーク印刷状態の一例を示す模式図である。
【００２９】
図において、４０１は部マークで、部毎（複数部数出力される場合の各部毎、複数ジョブが連続して出力される場合の各ジョブ毎等）に順次シフトされた位置に付加される。これにより、図５に示すように、部マーク４０１がそろっていることで他のジョブが混じっていないことを容易に判別することが可能となる。
【００３０】
また、４０２はページマークで、ページ毎に順次シフトされた位置に付加される。これにより、図６に示すように、ページの順序が正しいことや欠落がないことを容易に判別することが可能となる。
【００３１】
図７は、本発明の印刷出力装置における両面印刷時のマーク印刷状態の一例を示す模式図であり、図４と同一のものには同一の符号を付してある。
【００３２】
図において、５０１ａは表マークで、表面の所定位置に付加される。５０１ｂは裏マークで、裏面の所定位置（表面マーク５０１ａと区別がつくように表面の所定位置とは異なる位置）に付加される。これにより、図８に示すように、表裏マーク５０１がそろっている（表マーク５０１ａのみ、又は裏マーク５０１ｂのみとなる）ことで用紙の表裏が揃っているか否かを容易に判別することが可能となる。
【００３３】
また、両面印刷時の部マーク４０１，ページマーク４０２は、図に示すように、物理ページに対して表と裏で重なる位置に付加（即ち、用紙の裏に付加される部マーク４０１ｂ，ページマーク４０２ｂは、用紙の表に付加される部マーク４０１ａ，ページマーク４０２ａの真裏となる位置に付加）され、特にページマーク４０２は、物理ページごとに位置が変わる。
【００３４】
図９は、本発明の印刷出力装置における２ｉｎ１（１枚の印刷用紙に２ページ配置して印刷すること）両面印刷時のマーク印刷状態の一例を示す模式図であり、図４，図７と同一のものには同一の符号を付してある。
【００３５】
２ｉｎ１両面印刷時のマーク印刷状態は、図８に示した通常の両面印刷時の場合と同様に、部マーク４０１，ページマーク４０２、表裏マーク５０１は、物理ページに対して付加される。
【００３６】
なお、部マーク４０１，ページマーク４０２は、用紙の表と裏で重なるように付加（即ち、用紙の裏に付加される部マーク４０１ｂ，ページマーク４０２ｂは、用紙の表に付加される部マーク４０１ａ，ページマーク４０２ａの真裏となる位置に付加）され、特にページマーク４０２は、物理ページごとに位置が変わる。
【００３７】
また、図９では、１枚の印刷用紙上に２ページの画像を配置印刷する２ｉｎ１について説明したが、１枚の印刷用紙上に３ページ以上の画像を配置印刷する場合も同様に、部マーク４０１，ページマーク４０２，表裏マーク５０１は、物理ページ毎に付加される。
【００３８】
以上、図４〜図９に示すように、出力した紙束は、部マーク４０１を見ることにより、部のまとまりを判断しやすくなり、またページマーク４０２の位置を見ることにより、ページの順番が判断しやすくなり、さらに表裏マーク５０１の位置を見ることにより、表か裏を判断しやすくなり、ばらばらになった場合に用紙を容易にそろえることができる。
【００３９】
以下、図１０，図１１を参照して、本発明の印刷出力装置における各種マーク位置（各種マークの左上角の座標）について説明する。なお、ここでは、部マーク４０１を用紙の右端，ページマーク４０２を用紙の下端，表裏マーク５０１を用紙の上端に付加する場合に対応する。
【００４０】
図１０は、本発明の印刷出力装置における表ページのマーク印刷位置の一例を示す模式図であり、図１１は、本発明の印刷出力装置における裏ページのマーク印刷位置の一例を示す模式図である。なお、用紙の座標は図中左上を（０，０）とする。また、表裏マークサイズを「ｓｗ×ｓｈ」、部マークサイズを「ｂｗ×ｂｈ」、ページマークサイズを「ｐｗ×ｐｈ」とする。さらに、用紙サイズを「Ｗ×Ｈ」とする。また、図１０，図１１では、表裏マーク５０１を用紙の上端部、部マーク４０１を用紙の左端部、ページマーク４０２を用紙の下端部に印刷（付加）する場合について説明し、その他の場合の説明は省略する。
【００４１】
図１０に示すように、表マーク５０１ａの印刷位置（ｂｘ１，ｂｙ１）は、（ｂ０（≧（Ｗ／２）），０）となる。また、部マーク４０１ａの印刷位置（ｓｘ１，ｓｙ１）は、（Ｗ−ｓｗ，ｓｈ×（部番−１））となる。さらに、ページマーク４０２ａの印刷位置（ｐｘ１，ｐｙ１）は、（ｐｗ×（ページ番号−１），Ｈ−ｐｈ）となる。
【００４２】
図１１に示すように、裏マーク５０１ｂの印刷位置（ｂｘ２，ｂｙ２）は、（Ｗ−ｂ０−ｂｗ，０）となる。また、部マーク４０１ｂの印刷位置（ｓｘ２，ｓｙ２）は、（０，ｓｈ×（部番−１））となる。さらに、ページマーク４０２ｂの印刷位置（ｐｘ２，ｐｙ２）は、（Ｗ−ｐｗ×（ページ番号），Ｈ−ｐｈ）となる。
【００４３】
このように、印刷のジョブ単位（部）ごとに、部マーク４０１の印刷位置を移動させる。また、各ページを印刷するごとに、ページマーク４０２の印刷する位置を移動させる。
【００４４】
さらに、両面印刷の場合、表裏マーク５０１は、上記ｂｘ１，ｂｘ２で示したように、表面，裏面が区別可能なように、用紙の表裏で異なる位置（ｂｘ１，ｂｙ１），（ｂｘ２，ｂｙ２）に付加され、部マーク４０１，ページマーク４０２は、表裏の画像の位置が重なるような位置（ｓｘ１，ｓｙ１），（ｓｘ２，ｓｙ２），（ｐｘ１，ｐｙ１），（ｐｘ２，ｐｙ２）に付加される。
【００４５】
図１２は、図１０，図１１に示したページマーク幅ｐｗを説明する図である。
【００４６】
図に示すように、ページ幅ｐｗは、ページ幅Ｗの長さをページ総数で分割したもので（ページ幅ｐｗ＝ページ幅Ｗ／ページ総数）である。
【００４７】
即ち、「ページ総数＝４」の場合、（ａ）に示すように、「ｐｗ＝Ｗ／４」となる。
【００４８】
但し、総ページ数が多い場合、ページマーク幅ｐｗが極度に小さくなってしまうので、ページマーク幅ｐｗがページマーク幅最小値ｐｍｉｎより小さくならないようにする。即ち、「Ｗ／ｎ＜ｐｍｉｎ」の場合、（ｂ）に示すように、「ｐｗ＝ｐｍｉｎ」とする。また、ページマーク位置が、ページ幅を超えた場合には、１ページ目の位置に戻り、ページマーク画像（例えば、パターン，色等）を変更する。
【００４９】
図１３は、本発明の印刷出力装置における通常の印刷時の印刷マーク設定ダイアログの一例を示す模式図であり、通常の印刷時に図２に示したモニタ２１０に表示される。また、図１４は、本発明の印刷出力装置における２ｉｎ１印刷時の印刷マーク設定ダイアログの一例を示す模式図であり、２ｉｎ１印刷時に図２に示したモニタ２１０に表示される。なお、図１３，図１４において同一のものには同一の符号を付してある。
【００５０】
図において、１３０１は部マーク印刷チェック部で、ここにチェックを入れる（図示しないポインティングデバイス等により指示する）ことにより、部マーク４０１の有無を指示することができる。１３０４は部マーク印刷位置設定部で、部マーク４０１の印刷位置を上端，下端，左端，右端から選択することができる。
【００５１】
１３０２はページマーク印刷チェック部で、ここにチェックを入れる（図示しないポインティングデバイス等により指示する）ことにより、ページマーク４０２の有無を指示することができる。１３０５はページマーク印刷位置設定部で、ページマークの印刷位置を上端，下端，左端，右端から選択することができる。
【００５２】
１３０３は表裏マーク印刷チェック部で、ここにチェックを入れる（図示しないポインティングデバイス等により指示する）ことにより、表裏マーク５０１の有無を指示することができる。１３０６は表裏マーク印刷位置設定部で、表裏マーク５０１の印刷位置を上端，下端，左端，右端から選択することができる。
【００５３】
なお、部マーク４０１，ページマーク４０２，表裏マーク５０１は、それぞれが重ならないように、各マーク印刷位置設定部１３０４〜１３０６では、一つの位置を同時に選択できないようにプリンタドライバ部１０１により制御されている。
【００５４】
１３０７は選択状態表示部で、部マーク４０１，ページマーク４０２，表裏マーク５０１の印刷位置設定状態を示す図を表示する。
【００５５】
１３０８はキャンセルボタンで、このボタンを指示する（図示しないポインティングデバイス等により指示する）ことにより、このダイアログでの設定を無効に印刷処理を中止する。
【００５６】
１３０９はＯＫボタンで、このボタンを指示する（図示しないポインティングデバイス等により指示する）ことにより、このダイアログでの設定を有効に印刷処理を開始する。
【００５７】
図１５は、本発明の印刷出力装置における「ふちなし印刷」時の印刷マーク設定ダイアログの一例を示す模式図であり、「ふちなし印刷」時に図２に示したモニタ２１０に表示される。なお、図１３と同一のものには同一の符号を付してある。
【００５８】
図において、１５０１は裏面へのマーク印刷チェック部で、ここにチェックを入れる（図示しないポインティングデバイス等により指示する）ことにより、各マークは表面に印刷されることなくすべて裏面へ印刷される。
【００５９】
これにより、「ふちなし印刷」時に、表面の画像に重なることなく、ページマーク、部マークを紙面（裏面）に付加することが出来る。
【００６０】
以上の設定ダイアログでの設定に従って、プリンタドライバ部１０１は、部マーク４０１、ページマーク４０２、表裏マーク５０１を印刷情報に合成し、印刷するように制御する。
【００６１】
以下、図１６を参照して、本発明の印刷出力装置における第１の制御処理手順について説明する。
【００６２】
図１６は、本発明の印刷出力装置における第１の制御処理手順の一例を示すフローチャートであり、図２に示したＣＰＵ２０１によりＨＤ２１１又はその他の記録媒体に格納されたプログラムに基づいて実行される。なお、Ｓ１０１〜Ｓ１１８は各ステップを示す。
【００６３】
なお、アプリケーション１０２の図示しない印刷ボタンが押（指示）されると、プリンタドライバ部１０１は、印刷設定に基づいて、図１３〜図１５に示した何れかのマーク印刷選択ダイアログを表示し、ユーザによりＯＫボタン１３０９が指示されると、マーク印刷選択ダイアログから、ページマークの有無、部マークの有無、表裏マークの有無及び印刷位置等を取得し、該取得した各種マークの有無や印刷位置等に基づいて、プリンタドライバ部１０１は、以下ステップＳ１０１〜Ｓ１１８の処理を実行し、部マーク４０１，ページマーク４０２，表裏マーク５０１を印刷情報に合成し、印刷装置１１０に出力する。以下、その手順について説明する。
【００６４】
まず、部の初めか否かを判断し（Ｓ１０１）、部の初め（複数部数出力される場合の各部の初め、複数ジョブが連続して出力される場合の各ジョブの初め等）であると判断した場合、（部マークの付加が指示されていれれば）部マーク位置，（表裏マークの付加が指示されていれば）表裏マーク位置をそれぞれ指示されている印刷位置に応じて算出し（Ｓ１０２，Ｓ１０３）、ステップＳ１０４に進む。
【００６５】
一方、ステップＳ１０１で、部の初めでないと判断した場合には、そのままステップＳ１０４に進む。
【００６６】
ステップＳ１０４では、アプリケーション１０２から出力される印刷情報に基づいて物理ページ画像情報を生成し、物理ページが表か否かを判断し（Ｓ１０５）、表であると判断した場合には、裏面へのマーク印刷設定がなされている（図１５に示した裏面へのマーク印刷チェック部１５０１がチェックされている）か否かを判断し（Ｓ１０６）、裏面マーク印刷設定がなされていないと判断した場合には、（表裏マークの付加が指示されていれば）表マーク５０１，（部マークの付加が指示されていれば）部マーク４０１ａを物理ページ（表）画像データに合成する（Ｓ１０７，Ｓ１０８）。
【００６７】
次に、（ページマークの付加が指示されていれば）ページマーク４０１ａの印刷位置をページ番号及び指示されている印刷位置に応じて算出し（Ｓ１０９）、ページマーク４０２ａを物理ページ（表）画像データに合成する（Ｓ１１０）。
【００６８】
次に、各マーク画像が合成された物理ページ（表）画像データを印刷装置１１０に出力し、次ページの有無を判断し（Ｓ１１２）、まだ次ページがあると判断した場合には、ステップＳ１０１に戻り、次ページがないと判断した場合には、そのまま処理を終了する。
【００６９】
一方、ステップＳ１０５で、物理ページが表でない（裏である）と判断した場合には、（表裏マークの付加が指示されていれば）裏マーク５０１ｂを物理ページ画像（裏）データに合成し（Ｓ１１３）、（部マークの付加が指示されていれば）部マーク４０１ｂを物理ページ画像（裏）データに合成する（Ｓ１１４）。
【００７０】
次に、ページマーク４０２ｂの印刷位置を算出し（Ｓ１１５）、ページマーク４０２ｂを物理ページ（裏）画像データに合成し（Ｓ１１６）、ステップＳ１１１に進み、各マーク画像が合成された物理ページ（裏）画像データを印刷装置１１０に出力する。
【００７１】
一方、ステップＳ１０６で、裏面へのマーク印刷設定がなされている（図１５に示した裏面へのマーク印刷チェック部１５０１がチェックされている）と判断した場合には、物理ページ（表）画像データを印刷装置１１０に出力し（Ｓ１１７）、ダミーの物理ページ（裏）画像データ（白紙データ）を生成し（Ｓ１１８）、ステップＳ１１４に進み、物理ページ（裏）画像データに部マーク４０１ｂ，ページマーク４０２ｂを合成して（Ｓ１１４〜Ｓ１１６）、印刷装置１１０に出力する（１１１）。
【００７２】
以上に示すように、ページマーク４０２をページごとに位置をずらして出力し、部マーク４０１を所定の印刷単位（１まとまりの部，ジョブ単位）ごとに位置をずらして出力し、両面印刷時、表裏マーク５０１を表と裏で位置をずらして出力し、またページマーク４０２，部マーク４０１は、表と裏で重なるような位置に出力し、アプリケーション１０２から１ページ（物理ページ）に複数ページ印刷する場合において、物理ページに対して上述の各種マーク（ページマーク４０２，部マーク４０１，表裏マーク５０１）を出力することにより、印刷物がばらばらになった場合でも、ページの抜けや、部の混在や、表裏の混在等を容易に判断し、揃えることができる。
【００７３】
なお、本実施形態では、プリンタドライバ部１０１が上記図１６に示したフローチャートを実行して各種マークをページ画像データに合成し、該合成してページ画像データを印刷装置１１０に出力する場合について説明したが、印刷装置（プリンタ，複合機）やプリンタサーバ等が、ＰＣ／ＷＳ等のコンピュータ１００より受信した印刷データ（但し、コンピュータ１００上で図１３〜図１５の印刷マーク設定ダイアログを用いて設定した印刷マーク設定情報が付加された印刷データ）に基づいて、印刷装置やプリンタサーバ等にて図１６に示したフローチャートと同様のステップを実行して、印刷マークを付加した印刷処理を実現するように構成してもよい。即ち、本発明は、印刷装置に印刷データを送信する情報処理装置、情報処理装置から受信した印刷データに基づいて印刷処理する印刷装置のコントローラ部，プリントサーバ等のいずれにも適用可能である。
【００７４】
なお、「ふちなし印刷」時には、図１５に示した印刷マーク設定ダイアログを表示し、各種マークを裏面に印刷することを可能にする構成について説明したが、フッタやヘッダが設定されている場合にも、図１５に示した印刷マーク設定ダイアログを表示し、各種マークを裏面に印刷することを可能にするように構成してもよい。
【００７５】
また、「ふちなし印刷」や「フッタ」，「ヘッダ」が設定されている場合には、自動的に各種マークを裏面に印刷制御するように構成してもよい。
【００７６】
さらに、上記図１３〜図１５に示した印刷マーク設定ダイアログで、マークの色や網掛パターン等を選択可能に構成してもよい。
【００７７】
なお、上述した印刷装置１１０は、レーザビーム方式である場合を例にして説明したが、ＬＥＤ方式であっても、液晶シャッタ方式、インクジェット方式、熱転写方式、昇華方式でもその他のプリント方式であっても、フルカラーであってもモノクロであっても本発明は適用可能である。
【００７８】
以下、図１７に示すメモリマップを参照して本発明に係る印刷出力装置で読み出し可能なデータ処理プログラムの構成について説明する。
【００７９】
図１７は、本発明に係る印刷出力装置で読み出し可能な各種データ処理プログラムを格納する記録媒体のメモリマップを説明する図である。
【００８０】
なお、特に図示しないが、記録媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００８１】
さらに、各種プログラムに従属するデータも上記ディレクトリに管理されている。また、インストールするプログラムやデータが圧縮されている場合に、解凍するプログラム等も記憶される場合もある。
【００８２】
本実施形態における図１６に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００８３】
以上のように、前述した実施形態の機能を実現するソフトウエアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。
【００８４】
この場合、記録媒体から読み出されたプログラムコード自体が本発明の新規な機能を実現することになり、そのプログラムコードを記憶した記録媒体は本発明を構成することになる。
【００８５】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００８６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８７】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記録媒体を該システムあるいは装置に読み出すことによって、そのシステムあるいは装置が、本発明の効果を享受することが可能となる。
【００８９】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【００９０】
【発明の効果】
以上説明したように、本発明によれば、印刷情報に基づく画像を印刷用紙上に印刷する印刷手段に出力されるべき印刷情報に対して第１のマークをページ毎に位置がシフトするように付加し、前記印刷手段に出力されるべき印刷情報に対して第２のマークを所定の印刷単位毎に位置がシフトするように付加し、印刷用紙の両面に印刷する際、前記印刷手段に出力されるべき印刷情報に対して第３マークを前記印刷用紙の表裏で異なる位置となるように付加するので、紙束の表裏面向きの乱れ、束内のページの順序の乱れや抜け、ある部（ジョブ）に他の部（ジョブ）の印刷用紙が含まれている等のことを容易に認識でき、手作業でこれらを直しやすくなり、複数束の印刷物が混在してしまった場合であっても、第１〜３のマークを利用者がチェックするだけで、束（部）の仕分け、ページ順、紙の表裏方向の統一性等を容易にチェックし、整えることを容易にする。
【００９１】
また、前記印刷情報に基づく画像を印刷用紙の全面に印刷する際、前記印刷用紙の裏面に印刷されるように前記第１のマーク画像，第２のマーク画像を付加することにより、画像を印刷用紙の全面に印刷する際には、画像に重なることなく、第１，２のマーク画像を付加して、ふちなし印刷画像の仕上がりの美しさと、整列の容易性を同時に実現する画像形成環境を提供することができる等の効果を奏する。
【図面の簡単な説明】
【図１】本発明に係る印刷出力装置の一実施形態を示すブロック図である。
【図２】図１に示したコンピュータの構成を示すブロック図である。
【図３】本発明の印刷出力装置におけるマーク印刷領域の一例を示す模式図である。
【図４】本発明の印刷出力装置における片面印刷時のマーク印刷状態の一例を示す模式図である。
【図５】本発明の印刷出力装置における部マーク印刷状態の一例を示す模式図である。
【図６】本発明の印刷出力装置におけるページマーク印刷状態の一例を示す模式図である。
【図７】本発明の印刷出力装置における両面印刷時のマーク印刷状態の一例を示す模式図である。
【図８】本発明の印刷出力装置における表マーク，裏マーク印刷状態の一例を示す模式図である。
【図９】本発明の印刷出力装置における２ｉｎ１（１枚の印刷用紙に２ページ配置して印刷すること）両面印刷時のマーク印刷状態の一例を示す模式図である。
【図１０】本発明の印刷出力装置における表ページのマーク印刷位置の一例を示す模式図である。
【図１１】本発明の印刷出力装置における裏ページのマーク印刷位置の一例を示す模式図である。
【図１２】図１０，図１１に示したページマーク幅ｐｗを説明する図である。
【図１３】本発明の印刷出力装置における通常の印刷時の印刷マーク設定ダイアログの一例を示す模式図である。
【図１４】本発明の印刷出力装置における２ｉｎ１印刷時の印刷マーク設定ダイアログの一例を示す模式図である。
【図１５】本発明の印刷出力装置における「ふちなし印刷」時の印刷マーク設定ダイアログの一例を示す模式図である。
【図１６】本発明の印刷出力装置における第１の制御処理手順の一例を示すフローチャートである。
【図１７】本発明に係る印刷出力装置で読み出し可能な各種データ処理プログラムを格納する記録媒体のメモリマップを説明する図である。
【符号の説明】
１００  コンピュータ
１０１  プリンタドライバ部
１０２  アプリケーション
１０３  マーク位置計算部
１０４  マーク画像合成部
１０５  マーク画像メモリ
１１０  印刷装置
１２０  ネットワーク
【図１】
2004202852.tif 000003
【図２】
2004202852.tif 000004
【図３】
2004202852.tif 000005
【図４】
2004202852.tif 000006
【図５】
2004202852.tif 000007
【図６】
2004202852.tif 000008
【図７】
2004202852.tif 000009
【図８】
2004202852.tif 000010
【図９】
2004202852.tif 000011
【図１０】
2004202852.tif 000012
【図１１】
2004202852.tif 000013
【図１２】
2004202852.tif 000014
【図１３】
2004202852.tif 000015
【図１４】
2004202852.tif 000016
【図１５】
2004202852.tif 000017
【図１６】
2004202852.tif 000018
【図１７】
2004202852.tif 000019